(57)【特許請求の範囲】
【請求項１】
記録媒体が出し入れされる出入口と、
前記記録媒体の厚さ方向に直交する搬送方向に沿って前記出入口から延び、前記搬送方向に沿って前記記録媒体を搬送する搬送路と、
前記搬送路に対して前記出入口側とは反対側から接続されて前記厚さ方向に広がり、前記記録媒体を積層状態で収納可能な収納室と、
前記搬送路における処理位置にあるときの前記記録媒体との間で情報処理を行なう処理部と、
前記記録媒体に係合可能な繰出爪を有し、前記繰出爪が前記反対側から前記記録媒体に係合した状態で前記出入口側へ移動することによって、前記記録媒体を前記収納室から前記出入口側へ繰り出す繰出部とを含み、
前記繰出部は、繰り出される前記記録媒体を前記情報処理のために前記処理位置まで搬送する際に、前記収納室内の別の前記記録媒体に接触することによって当該別の記録媒体を前記搬送方向に対して傾斜した状態で待機させることを特徴とする、記録媒体処理装置。
【請求項２】
前記記録媒体に係合可能な取込爪を有し、前記取込爪が前記出入口側から前記記録媒体に係合した状態で前記反対側へ移動することによって、前記記録媒体を前記出入口側から前記収納室側へ取り込む取込部を含み、
取り込まれる前記記録媒体が前記情報処理のために前記処理位置まで搬送される際、前記繰出部は、待機位置にあり、前記収納室内の別の前記記録媒体に接触することによって当該別の記録媒体を前記搬送方向に対して傾斜した状態で待機させることを特徴とする、請求項１記載の記録媒体処理装置。
【請求項３】
前記厚さ方向へ移動することよって、前記収納室内の前記記録媒体を前記厚さ方向へ移動させるリフトと、
前記リフトの移動を前記取込部の移動と連動させる連動機構とを含み、
前記取込部と前記繰出部とは、相対移動できるように遊びを持って連結されており、
前記繰出部が前記待機位置にあるとき、前記繰出爪が、前記収納室に収納された前記記録媒体に接触することによって当該記録媒体を前記搬送方向に対して傾斜した状態で待機させ、
前記記録媒体を取り込むための前記取込部の移動によって前記繰出爪が前記収納室内の前記記録媒体よりも前記反対側に配置された後に、前記繰出部を前記待機位置へ戻すために前記取込部が前記出入口側へ移動すると、前記取込部に遅れて前記繰出部が移動するのに先立って、前記繰出爪が前記収納室内の前記記録媒体に引っ掛からないように前記リフトが当該記録媒体を前記厚さ方向へ移動させることを特徴とする、請求項２記載の記録媒体処理装置。
【請求項４】
遊技機に併設される台間記録媒体処理機に搭載されることを特徴とする、請求項１〜３のいずれかに記載の記録媒体処理装置。
【発明の詳細な説明】
【技術分野】
【０００１】
この発明は、記録媒体を繰り出す機能を少なくとも有する記録媒体処理装置に関する。
【背景技術】
【０００２】
記録媒体処理装置の一例として下記特許文献１で提案されたカード処理装置は、パチンコ機等の遊技機の一側部に設置された台間カード処理機に配設されている。カード処理装置は、記録媒体の一例としてのカードを挿入または排出するカード挿入口が前面に形成された装置本体を有する。装置本体内には、カード挿入口の後部側に連通したカード搬送路と、カード搬送路の後部側に連続して複数枚のカードを集積収納する収納部とが形成されている。カード処理装置は、収納部内に対して進退可能な収納部材と、カード搬送路中のカード処理位置に取り込んだカードの情報を処理するカード処理部と、カード処理位置と収納部との間でカードを１枚ずつ搬送する搬送体とを有する。
【先行技術文献】
【特許文献】
【０００３】
【特許文献１】特許第４２３８２０８号公報
【発明の概要】
【発明が解決しようとする課題】
【０００４】
特許文献１に記載のカード処理装置において、カード処理部がカード処理位置のカードの情報を処理する際に、カード処理位置のカードと収納部内の別のカードとが接近していると、これらのカードに内蔵されたアンテナのパターンが互いに干渉するため、カード処理部がカード処理位置のカードの情報を正常に処理できない。そこで、このような不具合を防ぐために、特許文献１に記載のカード処理装置では、カード処理部がカード処理位置のカードの情報を処理する際に、収納部材が収納部内に進出して、収納部内のカードをカード処理位置のカードから離す処理が必要である。しかし、この処理のために、カード処理装置における全体の処理時間が増えてしまう。
【０００５】
この発明は、かかる背景のもとでなされたもので、処理時間の短縮化を図ることができる記録媒体処理装置を提供することを目的とする。
【課題を解決するための手段】
【０００６】
本発明は、記録媒体が出し入れされる出入口と、前記記録媒体の厚さ方向に直交する搬送方向に沿って前記出入口から延び、前記搬送方向に沿って前記記録媒体を搬送する搬送路と、前記搬送路に対して前記出入口側とは反対側から接続されて前記厚さ方向に広がり、前記記録媒体を積層状態で収納可能な収納室と、前記搬送路における処理位置にあるときの前記記録媒体との間で情報処理を行なう処理部と、前記記録媒体に係合可能な繰出爪を有し、前記繰出爪が前記反対側から前記記録媒体に係合した状態で前記出入口側へ移動することによって、前記記録媒体を前記収納室から前記出入口側へ繰り出す繰出部とを含み、前記繰出部は、繰り出される前記記録媒体を前記情報処理のために前記処理位置まで搬送する際に、前記収納室内の別の前記記録媒体に接触することによって当該別の記録媒体を前記搬送方向に対して傾斜した状態で待機させることを特徴とする、記録媒体処理装置である。
【０００７】
また、本発明は、前記記録媒体に係合可能な取込爪を有し、前記取込爪が前記出入口側から前記記録媒体に係合した状態で前記反対側へ移動することによって、前記記録媒体を前記出入口側から前記収納室側へ取り込む取込部を含み、取り込まれる前記記録媒体が前記情報処理のために前記処理位置まで搬送される際、前記繰出部は、待機位置にあり、前記収納室内の別の前記記録媒体に接触することによって当該別の記録媒体を前記搬送方向に対して傾斜した状態で待機させることを特徴とする。
【０００８】
また、本発明は、前記厚さ方向へ移動することよって、前記収納室内の前記記録媒体を前記厚さ方向へ移動させるリフトと、前記リフトの移動を前記取込部の移動と連動させる連動機構とを含み、前記取込部と前記繰出部とは、相対移動できるように遊びを持って連結されており、前記繰出部が前記待機位置にあるとき、前記繰出爪が、前記収納室に収納された前記記録媒体に接触することによって当該記録媒体を前記搬送方向に対して傾斜した状態で待機させ、前記記録媒体を取り込むための前記取込部の移動によって前記繰出爪が前記収納室内の前記記録媒体よりも前記反対側に配置された後に、前記繰出部を前記待機位置へ戻すために前記取込部が前記出入口側へ移動すると、前記取込部に遅れて前記繰出部が移動するのに先立って、前記繰出爪が前記収納室内の前記記録媒体に引っ掛からないように前記リフトが当該記録媒体を前記厚さ方向へ移動させることを特徴とする。
【０００９】
また、本発明は、遊技機に併設される台間記録媒体処理機に搭載されることを特徴とする。
【発明の効果】
【００１０】
本発明によれば、記録媒体処理装置では、記録媒体の搬送路が、記録媒体の厚さ方向に直交する搬送方向に沿って出入口から延び、記録媒体の収納室が、搬送路に対して出入口側とは反対側から接続されて厚さ方向に広がっている。繰出部が、繰出爪を反対側から記録媒体に係合させた状態で出入口側へ移動することによって、記録媒体を収納室から出入口側へ繰り出す。繰り出される記録媒体が搬送路における処理位置にあるときに、処理部が処理位置の記録媒体との間で情報処理を行なう。
【００１１】
繰出部は、繰り出される記録媒体を情報処理のために処理位置まで搬送する際に、収納室内の別の記録媒体に接触することによって当該別の記録媒体を搬送方向に対して傾斜した状態で待機させる。これにより、収納室内で待機する当該別の記録媒体では、処理位置の記録媒体に近い出入口側の端部が、処理位置の記録媒体から隙間を隔てて厚さ方向に離れて配置される。そのため、処理部は、収納室内の記録媒体の影響を受けることなく、処理位置の記録媒体との間で情報処理を正常に行なうことができる。また、この場合には、繰出部が、記録媒体を処理位置まで搬送するついでに、収納室内の別の記録媒体を搬送方向に対して傾斜した状態で待機させて、情報処理のための前記隙間を予め確保している。そのため、当該別の記録媒体を処理位置の記録媒体から離すための隙間に関連した独立した処理を省略できるので、処理時間の短縮化を図ることができる。
【００１２】
また、本発明によれば、取込部が、取込爪を出入口側から記録媒体に係合させた状態で反対側へ移動することによって、記録媒体を出入口側から収納室側へ取り込む。
取り込まれる記録媒体が情報処理のために処理位置まで搬送される際、繰出部は、待機位置にあり、収納室内の別の記録媒体に接触することによって当該別の記録媒体を搬送方向に対して傾斜した状態で待機させる。これにより、収納室内で待機する当該別の記録媒体では、処理位置まで搬送される記録媒体に近い出入口側の端部が、処理位置まで搬送される記録媒体から隙間を隔てて厚さ方向に離れて配置される。そのため、処理位置まで搬送される記録媒体が当該別の記録媒体に接触することを防止できるし、処理部は、収納室内の記録媒体の影響を受けることなく、処理位置の記録媒体との間で情報処理を正常に行なうことができる。また、この場合には、記録媒体が処理位置まで搬送されるのに先立って、収納室内の別の記録媒体は、搬送方向に対して傾斜した状態で既に待機しているので、前記隙間が予め確保されている。そのため、当該別の記録媒体を処理位置の記録媒体から離すための隙間に関連した独立した処理を新たに行なわずに済むので、処理時間の短縮化を図ることができる。
【００１３】
また、本発明によれば、収納室内の記録媒体を厚さ方向へ移動させるリフトの移動が、取込部の移動と連動していて、取込部と繰出部とは、相対移動できるように遊びを持って連結されている。繰出部が待機位置にあるとき、繰出爪が、収納室に収納された記録媒体に接触することによって当該記録媒体を搬送方向に対して傾斜した状態で待機させる。
記録媒体を取り込むための取込部の移動によって繰出爪が収納室内の記録媒体よりも反対側に配置された後に、繰出部を待機位置へ戻すために取込部が出入口側へ移動すると、取込部に遅れて繰出部が移動するのに先立って、リフトが当該記録媒体を厚さ方向へ移動させる。これにより、その後に繰出部が移動する際に、繰出爪が収納室内の記録媒体に引っ掛かることを防止できる。そのため、繰出部を円滑に待機位置まで戻せるので、処理時間の一層の短縮化を図ることができる。
【００１４】
また、本発明によれば、記録媒体処理装置が搭載される台間記録媒体処理機では、記録媒体の処理に関する処理時間の短縮化を図ることができる。
【図面の簡単な説明】
【００１５】
【図１】図１は、この発明の一実施形態に係る記録媒体処理装置が搭載された台間記録媒体処理機と遊技機との外観を示す正面図である。
【図２】図２は、記録媒体処理装置の斜視図である。
【図３】図３は、記録媒体処理装置の内部構造の模式的な平面図である。
【図４】図４は、記録媒体処理装置の内部構造を抜き出した斜視図である。
【図５】図５は、内部構造を露出させた状態における記録媒体処理装置の斜視図である。
【図６Ａ】図６Ａは、記録媒体の繰出動作を行う際における記録媒体処理装置の内部構造の平面図である。
【図６Ｂ】図６Ｂは、図６Ａの次の動作を行う記録媒体処理装置の内部構造の平面図である。
【図６Ｃ】図６Ｃは、図６Ｂの次の動作を行う記録媒体処理装置の内部構造の平面図である。
【図６Ｄ】図６Ｄは、図６Ｃの次の動作を行う記録媒体処理装置の内部構造の平面図である。
【図７Ａ】図７Ａは、繰出動作を行う際における記録媒体処理装置の内部構造の側面図である。
【図７Ｂ】図７Ｂは、図７Ａの次の動作を行う記録媒体処理装置の内部構造の側面図である。
【図７Ｃ】図７Ｃは、図７Ｂの次の動作を行う記録媒体処理装置の内部構造の側面図である。
【図７Ｄ】図７Ｄは、図７Ｃの次の動作を行う記録媒体処理装置の内部構造の側面図である。
【図８Ａ】図８Ａは、記録媒体の取込動作を行う記録媒体処理装置の内部構造の平面図である。
【図８Ｂ】図８Ｂは、図８Ａの次の動作を行う記録媒体処理装置の内部構造の平面図である。
【図８Ｃ】図８Ｃは、図８Ｂの次の動作を行う記録媒体処理装置の内部構造の平面図である。
【図８Ｄ】図８Ｄは、図８Ｃの次の動作を行う記録媒体処理装置の内部構造の平面図である。
【図８Ｅ】図８Ｅは、図８Ｄの次の動作を行う記録媒体処理装置の内部構造の平面図である。
【図９Ａ】図９Ａは、記録媒体の取込動作を行う記録媒体処理装置の内部構造の側面図である。
【図９Ｂ】図９Ｂは、図９Ａの次の動作を行う記録媒体処理装置の内部構造の側面図である。
【図９Ｃ】図９Ｃは、図９Ｂの次の動作を行う記録媒体処理装置の内部構造の側面図である。
【図９Ｄ】図９Ｄは、図９Ｃの次の動作を行う記録媒体処理装置の内部構造の側面図である。
【図１０Ａ】図１０Ａは、比較例に係る記録媒体処理装置の内部構造の平面図であって、繰出動作の開始前の状態を示す。
【図１０Ｂ】図１０Ｂは、図１０Ａの次の動作を行う記録媒体処理装置の内部構造の平面図である。
【図１０Ｃ】図１０Ｃは、図１０Ｂの次の動作を行う記録媒体処理装置の内部構造の平面図である。
【図１０Ｄ】図１０Ｄは、図１０Ｃの次の動作を行う記録媒体処理装置の内部構造の平面図である。
【図１０Ｅ】図１０Ｅは、図１０Ｄの次の動作を行う記録媒体処理装置の内部構造の平面図である。
【図１０Ｆ】図１０Ｆは、図１０Ｅの次の動作を行う記録媒体処理装置の内部構造の平面図である。
【図１１Ａ】図１１Ａは、比較例に係る記録媒体処理装置の内部構造の平面図であって、取込動作の開始前の状態を示す。
【図１１Ｂ】図１１Ｂは、図１１Ａの次の動作を行う記録媒体処理装置の内部構造の平面図である。
【図１１Ｃ】図１１Ｃは、図１１Ｂの次の動作を行う記録媒体処理装置の内部構造の平面図である。
【図１１Ｄ】図１１Ｄは、図１１Ｃの次の動作を行う記録媒体処理装置の内部構造の平面図である。
【図１１Ｅ】図１１Ｅは、図１１Ｄの次の動作を行う記録媒体処理装置の内部構造の平面図である。
【図１１Ｆ】図１１Ｆは、図１１Ｅの次の動作を行う記録媒体処理装置の内部構造の平面図である。
【図１１Ｇ】図１１Ｇは、図１１Ｆの次の動作を行う記録媒体処理装置の内部構造の平面図である。
【発明を実施するための形態】
【００１６】
以下には、図面を参照して、この発明の一実施形態に係る記録媒体処理装置１について具体的に説明する。記録媒体処理装置１で取り扱われる記録媒体Ｃは、たとえば、パチンコ店等の遊技施設の遊技客に発行されるＩＣカードである。記録媒体Ｃには、記憶部ＭとアンテナＡとが内蔵されている（後述する図２参照）。記憶部Ｍには、個々の記録媒体Ｃを識別するためのＩＤや、プリペイド価値の残高や、持玉データや、貯玉データ等の情報が記憶される。アンテナＡは、記録媒体Ｃの外周部の全域に亘って設けられている。アンテナＡを介して、記録媒体Ｃと、ＩＣリーダー等の外部の処理部との間で、記憶部Ｍ内の情報の読み取りや更新といった情報処理が行われる。記録媒体Ｃの種類には、遊技施設に会員登録した会員の遊技客に発行される会員記録媒体と、会員記録媒体を所持していない一般の遊技客に発行される一般記録媒体とがある。
【００１７】
持玉データとは、遊技客が当日の遊技で獲得した遊技媒体（ここではパチンコ玉）のうちの一部または全部を、現物として所有するのではなく数値データとして記録媒体Ｃに記憶させて所有する場合の数値データをいう。一般記録媒体に記憶されている持玉データは、当日のみ有効であり、その日の営業が終了した時点で効力を失う。一方、会員記録媒体に記憶されている持玉データは、その持玉データが発生した日の営業が終了した時点で、持玉データとしての効力は失うが、貯玉データとして会員記録媒体に記憶される。持玉データとなるパチンコ玉は、持玉と呼ばれ、貯玉データとなるパチンコ玉は、貯玉と呼ばれる。
【００１８】
なお、持玉データや貯玉データは、記録媒体Ｃの記憶部Ｍに直接記憶されるのではなく、記録媒体ＣのＩＤに関連付けて、データベース等の別の記憶装置に記憶されてもよい。また、以下の説明では、記録媒体Ｃが一般記録媒体であることを前提とする。
記録媒体処理装置１に関連して、遊技施設には、遊技機２と、遊技機２に併設されて記録媒体Ｃの処理を行なう台間記録媒体処理機３とが存在する。図１は、記録媒体処理装置１が搭載された台間記録媒体処理機３と遊技機２との外観を示す正面図である。
【００１９】
図１を参照して、遊技機２は、たとえば、パチンコ機である。遊技機２の内部には、パチンコ玉を払い出すための払出機構４が設けられている。遊技機２の前面には、パチンコ玉を一時的に貯留するための上皿５および下皿６が設けられている。上皿５のパチンコ玉が一杯になると、上皿５のパチンコ玉が下皿６に流れる。たとえば、上皿５の前面には、払出機構４にパチンコ玉の貸出指令を入力するために貸出ボタン７と、遊技の終了に伴って台間記録媒体処理機３に記録媒体Ｃの返却指令を入力するための返却ボタン８と、記録媒体Ｃのプリペイド価値を表示するための表示部９とが設けられている。貸出ボタン７や返却ボタン８は、遊技客によって操作される。
【００２０】
台間記録媒体処理機３は、遊技機２の左側において遊技機２の左側面に沿って配置された縦長のボックス状である。通常、複数の遊技機２が横に並んで設置されているので、台間記録媒体処理機３は、隣り合う２つの遊技機２の間に配置されていることが多い。台間記録媒体処理機３は、右隣の遊技機２に対する専用機であり、この遊技機２と通信可能に接続されている。
【００２１】
台間記録媒体処理機３の前面には、紙幣の挿入口１１と、主に遊技客向けの情報が表示される表示部１２と、遊技客等によって操作される操作部１３と、遊技機２の上皿５に持玉や貯玉を供給するための払出ノズル１４と、記録媒体Ｃが出し入れされる出入口１５とが設けられている。前述した返却ボタン８は、台間記録媒体処理機３の前面に設けられてもよい。
【００２２】
台間記録媒体処理機３において出入口１５が設けられた部分が、記録媒体処理装置１である。記録媒体処理装置１は、点線で示すように、台間記録媒体処理機３に内蔵されており、出入口１５だけが台間記録媒体処理機３の前面から露出されている。
以下では、正面視における台間記録媒体処理機３の左右方向Ｘ、前後方向Ｙおよび上下方向Ｚを基準として、記録媒体処理装置１について説明する。左右方向Ｘは、左側Ｘ１と右側Ｘ２とによって構成され、前後方向Ｙは、図１の紙面手前側である前側Ｙ１と、図１の紙面奥側である後側Ｙ２とによって構成され、上下方向Ｚは、上側Ｚ１と下側Ｚ２とによって構成される。
【００２３】
図２は、記録媒体処理装置１の斜視図である。図２を参照して、記録媒体処理装置１は、左右方向Ｘに薄く、前後方向Ｙおよび上下方向Ｚに細長いボックス状である。この実施形態の記録媒体処理装置１は、上下方向Ｚよりも前後方向Ｙにおいて長手である。記録媒体処理装置１は、その外郭をなす本体部２０を含む。本体部２０の前面には、出入口１５が縦長の状態で形成されている。本体部２０では、出入口１５側が前側Ｙ１であり、出入口１５側とは反対側が後側Ｙ２である。出入口１５に対して出し入れされる記録媒体Ｃの厚さ方向は、前後方向Ｙに直交する左右方向Ｘである。
【００２４】
図３は、記録媒体処理装置１の内部構造の模式的な平面図である。図３を参照して、本体部２０内の略前半分の領域には、出入口１５から上下方向Ｚおよび前後方向Ｙに沿って後側Ｙ２へ延びる搬送路２１が形成されている。搬送路２１は、出入口１５と同様に記録媒体Ｃを１枚だけ通せる縦長の断面を有していて、前後方向Ｙにおける本体部２０の略中央まで直線的に延びる帯状の空間である。搬送路２１は、左右方向Ｘに薄く上下方向Ｚに沿った縦長の姿勢の記録媒体Ｃを、前後方向Ｙという搬送方向に沿って搬送する。本体部２０内には、左右方向Ｘにおいて対向配置される一対の板状のガイド２３が設けられている。一対のガイド２３の互いに対向面は、上下方向Ｚおよび前後方向Ｙに沿う平坦面であり、これらの対向面によって搬送路２１が区画されている。
【００２５】
本体部２０内には、前後方向Ｙに並んで配置される２つのローラ２４と、各ローラ２４に対して右側Ｘ２から１つずつ対向配置される２つのローラ２５とが、上下方向Ｚに延びる回転軸（図示せず）まわりに回転可能な状態で配置されている。各ローラ２４の右側Ｘ２の外周面と、各ローラ２５の左側Ｘ１の外周面とが搬送路２１内に露出されている。２つのローラ２４には、１本のエンドレスベルトである搬送ベルト２６が掛け回されていて、２つのローラ２５には、１本のエンドレスベルトである搬送ベルト２７が掛け回されている。
【００２６】
搬送ベルト２６の一部は、前後方向Ｙに沿った状態で搬送路２１内に露出されている。搬送ベルト２７の一部も、前後方向Ｙに沿った状態で搬送路２１内に露出されている。搬送路２１内を搬送される記録媒体Ｃは、搬送路２１内に露出された搬送ベルト２６と搬送ベルト２７との間を通過する。本体部２０内において一対のガイド２３における左側Ｘ１のガイド２３Ａよりも左側Ｘ１には、搬送モータ２８が配置されている。搬送モータ２８が発生した駆動力は、ローラ２５に伝達される。これにより、搬送ベルト２７が周回移動する。
【００２７】
本体部２０内において搬送路２１よりも後側Ｙ２の領域には、記録媒体Ｃの収納室２２が設けられている。収納室２２は、搬送路２１に対して後側Ｙ２から接続されて左右方向Ｘにおける左側Ｘ１へ広がる空間である。収納室２２には、複数枚の記録媒体Ｃを左右方向Ｘに積層した状態で収納することが可能である。なお、後述するように、収納室２２には、前後方向Ｙに沿った状態の記録媒体Ｃを積層状態で収納するだけでなく（図６Ｂ等参照）、前後方向Ｙに対して傾斜した状態の記録媒体Ｃも積層状態で収納することができる（図６Ａ等参照）。
【００２８】
左側Ｘ１のガイド２３Ａの後端部には、上下左右に平坦であって左側Ｘ１へ延びる板状のゲート２９が接続されている。ゲート２９は、搬送路２１と収納室２２との境界に位置して、収納室２２を前側Ｙ１から塞いでいる。搬送路２１と収納室２２との境界は、記録媒体Ｃが１枚だけ通過できる連絡口３０である。ゲート２９は、一対のガイド２３における右側Ｘ２のガイド２３Ｂとの間で連絡口３０を区画している。
【００２９】
右側Ｘ２のガイド２３Ｂは、ガイド２３Ａよりも前後方向Ｙに長く、連絡口３０よりも後側Ｙ２へ延びている。ガイド２３Ｂの左側面において連絡口３０よりも前側Ｙ１の部分は、前述したようにガイド２３Ａに対向する対向面である。ガイド２３Ｂの左側面において連絡口３０よりも後側Ｙ２の部分は、先ほどの対向面と面一の状態で前後方向Ｙに沿って後側Ｙ２へ延びる平坦面２３Ｃと、前後方向Ｙに対して傾斜するように平坦面２３Ｃから後側Ｙ２かつ右側Ｘ２へ延びる傾斜面２３Ｄとを含む。平坦面２３Ｃおよび傾斜面２３Ｄは、収納室２２内に右側Ｘ２から露出されていて、平坦面２３Ｃは、収納室２２の略前半分の領域に位置し、傾斜面２３Ｄは、収納室２２の略後半分の領域に位置している。
【００３０】
収納室２２には、例えば金属製であって記録媒体Ｃをほぼ同じ形状の支持板３１が配置されている。本体部２０は、収納室２２を左側Ｘ１から塞ぐ板状の閉塞部２０Ａを有し、支持板３１と閉塞部２０Ａとの間では、ばね等で構成された付勢部材３２が、左右方向Ｘに圧縮された状態で配置されている。圧縮状態の付勢部材３２は、支持板３１において後側Ｙ２に偏った部分を右側Ｘ２へ押圧している。これにより、図３に示すように収納室２２内に記録媒体Ｃが１枚も存在しない状態では、支持板３１は、後側Ｙ２の部分がガイド２３Ｂの傾斜面２３Ｄに沿って前側Ｙ１の部分が平坦面２３Ｃから左側Ｘ１へ浮くように、前後方向Ｙに対して傾斜している。
【００３１】
本体部２０内では、左側Ｘ１のガイド２３Ａよりも左側Ｘ１かつゲート２９の前側Ｙ１の位置に、処理部としてのＩＣリーダー４８が設けられている。ＩＣリーダー４８は、記録媒体Ｃとの間で前述した情報処理を行なう部品であり、ＩＣリーダー４８として公知のものを用いることができる。ＩＣリーダー４８は、搬送路２１の後端部と前後方向Ｙで同じ位置にある。搬送路２１においてＩＣリーダー４８と前後方向Ｙで同じ位置を、以下では「処理位置」と呼ぶ。処理位置にある記録媒体Ｃでは、その少なくとも一部がＩＣリーダー４８と前後方向Ｙで同じ位置にあり、左右方向Ｘにおいてガイド２３Ａを挟んだ状態ＩＣリーダー４８と対向する。
【００３２】
図４は、記録媒体処理装置１の内部構造を抜き出した斜視図である。図５は、内部構造を露出させた状態における記録媒体処理装置１の斜視図である。以下の説明では、図３だけでなく、必要に応じて、図４や図５も参照する。
本体部２０内において前後方向Ｙでガイド２３Ｂの傾斜面２３Ｄと同じ位置には、リフト３３が設けられている。図４に示すように、リフト３３は、本体部２０内の後端部で上下方向Ｚに延びる回動軸３４を回動中心として、回動軸３４と一体的に回動可能な上下一対のアーム状である。
【００３３】
回動軸３４には、前後方向Ｙに延びるスライドレバー３５の後端部が連結されている。図４に示すスライドレバー３５は、前後方向Ｙに沿ったホームポジションにある。スライドレバー３５は、その後端部を回動中心としてホームポジションから下側Ｚ２へ回動することができるが、ホームポジションよりも上側Ｚ１へは回動できない。ばね等の付勢部材（図示せず）によって、スライドレバー３５は、ホームポジションへ戻るように常に付勢されている。
【００３４】
通常のリフト３３は、図３に示すように傾斜面２３Ｄよりも右側Ｘ２に退避した退避位置にある。ガイド２３Ｂにおいて左右方向Ｘから見てリフト３３と重なる位置には、貫通穴２３Ｅが形成されている。リフト３３は、前述したように回動することによって、左右方向Ｘに移動可能であり、退避位置から左側Ｘ１へ移動し、貫通穴２３Ｅを通って収納室２２内に進出することができる。収納室２２内に進出したときの左右方向Ｘにおけるリフト３３の位置は、進出位置である（図３には図示せず）。リフト３３は、右側Ｘ２へ移動することによって、進出位置から退避位置まで戻ることができる。リフト３３を移動させる構成については、以降で説明する。
【００３５】
本体部２０内の前側Ｙ１の領域においてガイド２３Ｂよりも右側Ｘ２には、シャッターレバー３６が配置されている。シャッターレバー３６は、前後方向Ｙに延びていて、その後端部には、上側Ｚ１へ突出する検知部３７が一体的に設けられている。シャッターレバー３６は、その前後方向Ｙにおける途中に挿通されて上下方向Ｚに延びる揺動軸３８を揺動中心として、左右方向Ｘに揺動可能である。
【００３６】
図３に示すシャッターレバー３６は、傾斜位置にある。傾斜位置のシャッターレバー３６は、その前端部よりも検知部３７が左側Ｘ１に位置するように、前後方向Ｙに対して傾斜している。傾斜位置のシャッターレバー３６では、検知部３７だけが右側Ｘ２のガイド２３Ｂよりも左側Ｘ１にはみ出ていて、前述した連絡口３０の後側Ｙ２において収納室２２内に進出している。シャッターレバー３６は、その全体が前後方向Ｙに沿って水平となってガイド２３Ｂから左側Ｘ１にはみ出さない水平位置（図３には図示せず）まで、傾斜位置から揺動することができる。ばね等の付勢部材（図示せず）によって、シャッターレバー３６は、傾斜位置に位置するように常に付勢されている。
【００３７】
シャッターレバー３６の前端部には、小片状のシャッター３９が取り付けられている。シャッター３９の左端面３９Ａは、後側Ｙ２へ向かうにつれて右側Ｘ２へ延びる傾斜面である。シャッター３９は、シャッターレバー３６の前端部に取り付けられた状態で、シャッターレバー３６の前端部に対して左右方向Ｘに相対移動可能である。最も左側Ｘ１まで移動したときのシャッター３９の位置を閉位置（図３には図示せず）と呼び、図３に示すように最も右側Ｘ２まで移動したときのシャッター３９の位置を開位置と呼ぶ。シャッター３９は、出入口１５よりも僅か後側Ｙ２に位置し、ばね等の付勢部材４０（図５参照）によって、左側Ｘ１の閉位置へ向けて常に付勢されている。図３に示すようにシャッターレバー３６が傾斜位置にある場合には、シャッター３９は、搬送路２１から右側Ｘ２に退避している。
【００３８】
本体部２０内には、取込部４１と繰出部４２とが設けられている。取込部４１は、前後方向Ｙに延びるアーム状である。取込部４１の左側面の後側Ｙ２の領域には、右側Ｘ２へ窪んで前後方向Ｙに長手の窪み４３が設けられている。取込部４１の後端部は、後側当接部４１Ａとして、左側Ｘ１へ折り曲げられていて、後側Ｙ２から窪み４３を塞いでいる。取込部４１は、前側Ｙ１から窪み４３を塞ぐ前側当接部４１Ｂも有する。
【００３９】
取込部４１の前端部には、上下方向Ｚから見て略三角形状に尖った取込爪４４が設けられている。図３において実線で示す取込爪４４は、取込部４１に沿うように傾倒した傾倒位置にある。取込爪４４は、上下方向Ｚに延びる回動軸４５を介して取込部４１の前端部に連結されており、回動軸４５まわりに回動することにより、図３において破線で示す起立位置まで移動できる。起立位置の取込爪４４は、取込部４１から左側Ｘ１に起立して左右方向Ｘに延びており、搬送路２１にはみ出して、搬送路２１を前後に分断している。そのため、記録媒体Ｃを出入口１５に挿入しても、この記録媒体Ｃは、取込爪４４に邪魔されることによって、取込爪４４よりも後側Ｙ２へ移動できない。逆に、取込爪４４よりも後側Ｙ２に位置する記録媒体Ｃは、取込爪４４に邪魔されることにより、取込爪４４よりも前側Ｙ１へ移動できない。取込爪４４は、ばね等の付勢部材（図示せず）によって、起立位置へ向けて常に付勢されているが、通常は、右側Ｘ２のガイド２３Ｂに左側Ｘ１から押さえ付けられることによって傾倒位置にある。
【００４０】
繰出部４２は、前後方向Ｙに延びるアーム状であって、その左側面は、後側Ｙ２へ向かうにつれて左側Ｘ１へ向かうように前後方向Ｙに対して傾斜している。この左側面の後端部は、前後方向Ｙに沿って平坦な載置面４２Ａである。載置面４２Ａは、右側Ｘ２のガイド２３Ｂの平坦面２３Ｃとほぼ面一である。載置面４２Ａの後端部には、左側Ｘ１へ突出した繰出爪４６が一体的に設けられている（図５も参照）。繰出部４２の前端部４２Ｂは、右側Ｘ２へ折り曲げられていて、取込部４１の窪み４３に左側Ｘ１から嵌め込まれている。前端部４２Ｂは、窪み４３内で前後方向Ｙに移動できる。そのため、前端部４２Ｂが窪み４３内で前後方向Ｙに移動できる範囲内で、取込部４１と繰出部４２とは、前後方向Ｙに相対移動できるように遊びを持って連結されている。この構成では、取込部４１の取込爪４４と繰出部４２の繰出爪４６とは、一体化されておらず、分離された状態にある。
【００４１】
取込部４１と繰出部４２とは、本体部２０内で前後方向Ｙに沿って移動可能である。取込部４１が移動する際、所定のタイミングになると、取込爪４４は、傾倒位置から起立位置まで移動する。右側Ｘ２のガイド２３Ｂには、傾倒位置から起立位置まで移動する取込爪４４を通過させるための貫通穴（図示せず）が適宜形成されている。繰出部４２が移動する際、繰出爪４６は、常にガイド２３Ｂよりも左側Ｘ１にはみ出ていて、ガイド２３Ｂの左側面に沿って、搬送路２１および収納室２２を横断するように前後方向Ｙに移動する。本体部２０内においてガイド２３Ｂよりも右側Ｘ２には、取込部４１および繰出部４２を移動させるとともに、リフト３３も移動させる駆動力を発生する駆動モータ５１が設けられている。
【００４２】
図４に示すように、駆動モータ５１において駆動力を出力するための出力軸５１Ａは、後側Ｙ２へ延びている。平歯車で構成された出力ギア５２が出力軸５１Ａに対して同軸状で固定されている。出力ギア５２は、左右方向Ｘに延びる支持軸５３に対して同軸状で取り付けられた平歯車である中継ギア５４と噛み合っている。左右方向Ｘに延びる支持軸５５に対して同軸状で取り付けられた平歯車である駆動ギア５６が、中継ギア５４の後側Ｙ２に配置され、中継ギア５４と噛み合っている。駆動モータ５１は、正逆回転可能である。駆動モータ５１が正回転すると、駆動ギア５６は、左側Ｘ１から見て反時計回りに回転し、駆動モータ５１が逆回転すると、駆動ギア５６は、左側Ｘ１から見て時計回りに回転する。
【００４３】
駆動ギア５６の左端面には、カム部５７が一体的に設けられている。カム部５７は、左右方向Ｘに薄く支持軸５５と同軸状をなす円盤部５８と、円盤部５８の周上１箇所から円盤部５８の径方向外側へ突出したカム突起５９とを一体的に含む。左側Ｘ１から見て、カム突起５９では、反時計回りの方向における端部に、円盤部５８の径方向外側へ向かうにつれて反時計回りに尖った角部５９Ａが形成されている。左側Ｘ１から見て、カム突起５９では、時計回りの方向における端部に、時計回りの方向へ膨出した湾曲面５９Ｂが形成されている。駆動ギア５６が回転したときのカム突起５９の回転軌跡の途中に、前述したスライドレバー３５の前端部が後側Ｙ２から入り込んでいる。
【００４４】
図５に示すように、駆動ギア５６の右端面の外周部の周上１箇所には、右側Ｘ２へ突出した円柱状の軸部６０が一体的に設けられている。軸部６０に関連して、本体部２０内において右側Ｘ２のガイド２３Ｂよりも右側Ｘ２には、スライド部材６１が設けられている。スライド部材６１は、左右方向Ｘに薄い板状であって、本体部２０によって前後方向Ｙへスライド可能に支持されている。スライド部材６１の後端部には、スライド部材６１を左右方向Ｘに貫通する長穴６２が形成されている。長穴６２は、上下方向Ｚに細長く、前後方向Ｙにおける長穴６２の幅は、軸部６０の直径よりも僅かに大きい。軸部６０は、長穴６２に対して左側Ｘ１から嵌め込まれている。スライド部材６１の前端部には、左右方向Ｘに延びる回転軸６３を中心に回転可能なピニオンギア６４が設けられている。ピニオンギア６４に関連して、取込部４１の右側面には、前後方向Ｙに延びるラックギア６５が一体的に設けられている。ピニオンギア６４は、ラックギア６５の下側Ｚ２に配置され、ラックギア６５と噛み合っている。
【００４５】
図３に示すように、記録媒体処理装置１には、たとえばフォトインタラプタで構成された複数のセンサ６７が設けられている。図３では、本体部２０の外側にセンサ６７が模式的に図示されているが、実際には、センサ６７は、本体部２０に内蔵されている。複数のセンサ６７は、出入検知センサ６７Ａと、処理位置検知センサ６７Ｂと、抜取位置検知センサ６７Ｃと、シャッターセンサ６７Ｄと、収納検知センサ６７Ｅと、待機位置検知センサ６７Ｆと、繰出位置検知センサ６７Ｇとを含む。
【００４６】
出入検知センサ６７Ａは、出入口１５における記録媒体Ｃの出し入れ、つまり、記録媒体Ｃの挿入や抜き取りを検知する。処理位置検知センサ６７Ｂは、記録媒体Ｃが処理位置にあるか否かを検知する。抜取位置検知センサ６７Ｃは、記録媒体Ｃが抜取位置にあるか否かを検知する。抜取位置の記録媒体Ｃでは、ほとんどの部分が出入口１５から前側Ｙ１にはみ出ているので、遊技客は、記録媒体Ｃをつまんで出入口１５から抜き取ることができる。シャッターセンサ６７Ｄは、シャッター３９が開位置および閉位置のいずれに位置するのかを検知する。
【００４７】
収納検知センサ６７Ｅは、収納室２２における記録媒体Ｃの有無を検知する。収納検知センサ６７Ｅに関連して、図３に示すように収納室２２に記録媒体Ｃが存在しない場合には、シャッターレバー３６が傾斜位置にあって、その検知部３７が収納室２２内に進出している。そのため、収納検知センサ６７Ｅは、シャッターレバー３６が傾斜位置にあることを検知することによって、収納室２２に記録媒体Ｃが存在しないことを検知し、シャッターレバー３６が水平位置にあることを検知することによって、収納室２２に記録媒体Ｃが存在することを検知する。待機位置検知センサ６７Ｆは、繰出部４２が待機位置（後述する）にあるか否かを検知する。繰出位置検知センサ６７Ｇは、繰出部４２が繰出位置（後述する）にあるか否かを検知する。
【００４８】
次に、記録媒体処理装置１における記録媒体Ｃの繰出動作および取込動作のそれぞれについて、図６Ａ〜図９Ｄを参照しながら説明する。繰出動作とは、収納室２２に収納された記録媒体Ｃを処理位置まで繰り出す動作である。取込動作とは、前側Ｙ１から出入口１５に挿入されて処理位置にある記録媒体Ｃを後側Ｙ２に取り込んで収納室２２に収納する動作である。取込動作で収納室２２に収納される記録媒体Ｃとして、持玉データがなくなった一般記録媒体が挙げられる。この記録媒体Ｃは、取込動作で収納室２２に収納されると、新規の一般記録媒体となって、以降の繰出動作によって遊技客に対して発行される。
【００４９】
繰出動作も取込動作も行われない待機状態の記録媒体処理装置１が、図６Ａに示される。図６Ａでは、収納室２２内に３枚の記録媒体Ｃが積層状態で収納されている。このとき、繰出部４２は、前後方向Ｙにおける待機位置にある。
待機位置の繰出部４２では、繰出爪４６が、収納室２２に収納された最も右側Ｘ２の記録媒体Ｃにおける前後方向Ｙの略中央部に右側Ｘ２から接触している。これにより、待機位置の繰出部４２は、収納室２２内の全ての記録媒体Ｃを前後方向Ｙに対して傾斜した状態で待機させている。傾斜した状態で待機している記録媒体Ｃでは、略後半分がガイド２３Ｂの傾斜面２３Ｄに沿い、略前半分がガイド２３Ｂの平坦面２３Ｃから左側Ｘ１に浮いている。そのため、収納室２２内の記録媒体Ｃと平坦面２３Ｃとの間には、上下方向Ｚから見て前側Ｙ１へ向けて徐々に広がる略三角形状の隙間６６が形成されている。また、収納室２２内では、記録媒体Ｃと平行な姿勢の支持板３１が、付勢部材３２の付勢力によって、左側Ｘ１から記録媒体Ｃを押圧しているので、記録媒体Ｃが傾斜した状態が安定している。
【００５０】
また、待機位置の繰出部４２では、前端部４２Ｂが、取込部４１の窪み４３の後端に位置し、取込部４１の後側当接部４１Ａに対して前側Ｙ１から当接している。このときの取込部４１は、前後方向Ｙにおける前進位置にあり、その前端部における取込爪４４は、出入口１５の僅か後側Ｙ２において傾倒位置にある。このときシャッターレバー３６は、傾斜位置にあって、シャッター３９は、開位置にある。また、リフト３３は、退避位置にある。
【００５１】
収納室２２内の最も右側Ｘ２の記録媒体が遊技客の記録媒体Ｃであって、この遊技客が遊技機２で遊技していることを前提として、以下では、図６Ａ〜図７Ｄを参照しながら繰出動作について説明する。
遊技を終えた遊技客が別の遊技機２に移動したり、獲得したパチンコ玉について景品交換したりしたい場合には、前述した返却ボタン８（図１参照）を押す。すると、待機状態の記録媒体処理装置１では繰出動作が始まって、駆動モータ５１が正回転し、図７Ａに示すように、駆動ギア５６は、左側Ｘ１から見て、白抜き矢印で示すように、反時計回りに回転する。すると、駆動ギア５６の軸部６０が、スライド部材６１の長穴６２内で上側Ｚ１へ移動しながら、長穴６２の周縁部を後側Ｙ２へ押す。これにより、スライド部材６１が後側Ｙ２へ移動する。これに伴い、スライド部材６１に設けられたピニオンギア６４が反時計回りに回転するので、ピニオンギア６４を噛み合うラックギア６５を有する取込部４１が前進位置から後側Ｙ２へ移動する。ただし、取込部４１が動き始めた段階では、繰出部４２の前端部４２Ｂが窪み４３の途中にあって後側当接部４１Ａおよび前側当接部４１Ｂのいずれからも離れているので、繰出部４２は引き続き待機位置にある。
【００５２】
そして、取込部４１の後側Ｙ２への移動によって、前側当接部４１Ｂが繰出部４２の前端部４２Ｂに前側Ｙ１から当接すると、取込部４１と繰出部４２との間の遊びがなくなるので、繰出部４２が、図７Ｂに示すように、取込部４１に従動することによって、取込部４１と一体となって待機位置から後側Ｙ２へ移動する。このとき、引き続き反時計回りに回転する駆動ギア５６のカム突起５９における角部５９Ａが、今までホームポジションにあったスライドレバー３５に上側Ｚ１から接触する。これにより、スライドレバー３５は、ホームポジションから下側Ｚ２へ回動する。これでは、駆動ギア５６の回転が回動軸３４には伝わらないので、回動軸３４は静止した状態にあり、リフト３３は退避位置のままである。
【００５３】
図７Ｃに示すように、取込部４１および繰出部４２が、一体となってさらに後側Ｙ２へ移動すると、繰出部４２は、図６Ｂに示す繰出位置に到達する。繰出位置の繰出部４２では、繰出爪４６が、収納室２２内の記録媒体Ｃから離れて収納室２２よりも後側Ｙ２に位置している。そのため、収納室２２内の記録媒体Ｃは、前述したように傾斜していた状態（図６Ａ参照）から、前後方向Ｙに沿った状態に変わる。このとき、収納室２２内の記録媒体Ｃは、右側Ｘ２のガイド２３Ｂの平坦面２３Ｃと、繰出部４２の後端部の載置面４２Ａとに右側Ｘ２から支えられている。これによって、記録媒体Ｃが前後方向Ｙに沿った状態が維持されている。収納室２２内で最も右側Ｘ２の記録媒体Ｃは、返却ボタン８を押した遊技客のための記録媒体Ｃであり、収納室２２内で最も右側Ｘ２に位置し、前後方向Ｙから見て、出入口１５、連絡口３０および搬送路２１のそれぞれと重なっている。
【００５４】
このときの取込部４１は、前後方向Ｙにおいて最も後側Ｙ２の後退位置にある。後退位置における取込部４１では、その前端部における取込爪４４が起立位置にあって、収納室２２内で最も右側Ｘ２の記録媒体Ｃに対して前側Ｙ１から隣接している。シャッターレバー３６は、その後端部の検知部３７が収納室２２内の記録媒体Ｃによって左側Ｘ１から押圧されることによって、今までの傾斜位置から揺動して水平位置にある。シャッター３９は、閉位置にあって搬送路２１内にはみ出している。リフト３３は退避位置のままである。
【００５５】
図７Ｃを参照して、駆動モータ５１は引き続き正回転していて、駆動ギア５６は、反時計回りの回転を続ける。すると、駆動ギア５６の軸部６０が、スライド部材６１の長穴６２内で今度は下側Ｚ２へ移動しながら、長穴６２の周縁部を前側Ｙ１へ押す。これにより、スライド部材６１が前側Ｙ１へ移動する。これに伴い、スライド部材６１に設けられたピニオンギア６４が時計回りに回転するので、ピニオンギア６４を噛み合うラックギア６５を有する取込部４１が後退位置から前側Ｙ１へ移動する。ただし、取込部４１が移動し始めた段階では、繰出部４２の前端部４２Ｂが窪み４３の途中にあって後側当接部４１Ａおよび前側当接部４１Ｂのいずれからも離れているので、繰出部４２は引き続き繰出位置にある。
【００５６】
そして、取込部４１の前側Ｙ１への移動によって、後側当接部４１Ａが繰出部４２の前端部４２Ｂに後側Ｙ２から当接すると、取込部４１と繰出部４２との間の遊びがなくなるので、繰出部４２が、図７Ｄに示すように、取込部４１に従動することによって、取込部４１と一体となって繰出位置から前側Ｙ１へ移動する。このときの繰出部４２の移動速度は、たとえば、平均で２５０ｍｍ／秒である。また、引き続き反時計回りに回転する駆動ギア５６のカム突起５９が、スライドレバー３５が外れるので、スライドレバー３５はホームポジションまで戻る。リフト３３は退避位置のままである。
【００５７】
取込部４１および繰出部４２が、一体となって前側Ｙ１へ移動すると、繰出部４２は、その後端部の繰出爪４６が収納室２２内における最も右側Ｘ２の記録媒体Ｃに後側Ｙ２から係合した状態で、この記録媒体Ｃを伴って前側Ｙ１へ移動する。これにより、この記録媒体Ｃは、収納室２２から前側Ｙ１へ繰り出される。繰出部４２が図６Ｃに示す待機位置まで戻ると、駆動モータ５１の駆動が停止される。これにより、繰出動作が完了する。駆動モータ５１は、駆動停止まで常に正回転していたので、繰出動作のための各部品の全ての動作が駆動モータ５１の正回転だけで実現されたことが分かる。
【００５８】
駆動モータ５１の駆動が停止されたとき、待機位置の繰出部４２では、繰出爪４６が、収納室２２に残った最も右側Ｘ２の記録媒体Ｃにおける前後方向Ｙの略中央部に右側Ｘ２から接触している。これにより、待機位置の繰出部４２は、収納室２２内の全ての記録媒体Ｃを前後方向Ｙに対して傾斜した状態で待機させている。取込部４１は、前進位置にあり、取込爪４４は、出入口１５の僅か後側Ｙ２において傾倒位置にある。このとき、シャッターレバー３６は、引き続き水平位置にあって、シャッター３９は、閉位置にあって搬送路２１内にはみ出している。リフト３３は、退避位置にある。
【００５９】
繰出部４２が待機位置にあるとき、先ほど繰出部４２に伴われて収納室２２から前側Ｙ１へ繰り出された記録媒体Ｃは、搬送路２１における処理位置で静止している。ＩＣリーダー４８は、処理位置にあるときの記録媒体Ｃとの間で情報処理を行なう。
以上のように、繰出部４２は、繰り出される記録媒体Ｃを情報処理のために処理位置まで搬送する際に、収納室２２内の別の記録媒体Ｃに接触することによって当該別の記録媒体Ｃを前後方向Ｙに対して傾斜した状態で待機させる。  
【００６０】
処理位置にある記録媒体Ｃの後端部（厳密には、略後半分部分）は、収納室２２内に入り込んでいる。しかし、収納室２２内で前後方向Ｙに対して傾斜した状態で待機する当該別の記録媒体Ｃでは、処理位置の記録媒体Ｃに近い前端部（厳密には、略前半分部分）が、処理位置の記録媒体Ｃの後端部から隙間６６を隔てて左右方向Ｘに離れて配置される。隙間６６により、処理位置の記録媒体Ｃおよび収納室２２内の当該別の記録媒体ＣのそれぞれのアンテナＡのパターンが互いに干渉しなくなるので、ＩＣリーダー４８は、収納室２２内の記録媒体Ｃの影響を受けることなく、処理位置の記録媒体Ｃとの間で情報処理を正常に行なうことができる。
【００６１】
処理位置にある記録媒体Ｃの前端部は、搬送ベルト２６と搬送ベルト２７とに挟まれている。情報処理が完了すると、搬送モータ２８が駆動されて、搬送ベルト２６と搬送ベルト２７とが、互いの対向部分が前側Ｙ１に移動するように周回移動する。これにより、処理位置にあった記録媒体Ｃは、前側Ｙ１へ移動する。このとき、収納室２２内の記録媒体Ｃが引き続き前後方向Ｙに対して傾斜した状態で待機しているので、移動する記録媒体Ｃには、収納室２２内の記録媒体Ｃが載っていない。そのため、周回移動する搬送ベルト２６および２７は、記録媒体Ｃとの間のグリップ力が小さくても、記録媒体Ｃを前側Ｙ１へ移動させることができる。搬送ベルト２６および２７による記録媒体Ｃの搬送速度は、たとえば３００ｍｍ／秒である。
【００６２】
そして、移動する記録媒体Ｃの先には、閉位置のシャッター３９が存在するが、記録媒体Ｃは、シャッター３９の左端面３９Ａに接触して左端面３９Ａを後側Ｙ２から押圧する。左端面３９Ａは、後側Ｙ２へ向かうにつれて右側Ｘ２へ延びる傾斜面であるので、左端面３９Ａに対する記録媒体Ｃの押圧力が右側Ｘ２へ作用することによって、シャッター３９が右側Ｘ２の開位置まで移動する。これにより、記録媒体Ｃの先にシャッター３９が存在しなくなるので、記録媒体Ｃは、さらに前側Ｙ１へ進んで、図６Ｄに示すように、前述した抜取位置まで到達する。これにより、搬送モータ２８の駆動が停止される。
【００６３】
搬送モータ２８の駆動が停止した状態では、記録媒体Ｃの後端部は、搬送ベルト２６と搬送ベルト２７とに挟まれている。遊技客は、抜取位置の記録媒体Ｃを前側Ｙ１へ抜き取ることによって、収納室２２から繰り出された記録媒体Ｃを受け取ることができる。
次に、図８Ａ〜図９Ｄを参照しながら取込動作について説明する。遊技客は、自身の記録媒体Ｃにプリペイド価値を付加したり、遊技のためにプリペイド価値や持玉データを引き落としてパチンコ玉に替えたり、記録媒体Ｃの記憶部Ｍに記憶された情報を閲覧したりしたい場合には、記録媒体Ｃを、図８Ａに示す待機状態の記録媒体処理装置１の出入口１５に前側Ｙ１から挿入する。すると、記録媒体Ｃの後端部は、搬送ベルト２６と搬送ベルト２７とに挟まれる。その後、搬送モータ２８が駆動される。すると、搬送ベルト２６と搬送ベルト２７とが、互いの対向部分が後側Ｙ２に移動するように周回移動する。これにより、記録媒体Ｃは、後側Ｙ２へ取り込まれる。
【００６４】
後側Ｙ２へ取り込まれた記録媒体Ｃが、図８Ｂに示すように処理位置に到達すると、搬送モータ２８の駆動が停止される。これに応じて、ＩＣリーダー４８は、処理位置にあるときの記録媒体Ｃとの間で情報処理を行なう。取り込まれる記録媒体Ｃが情報処理のために処理位置まで搬送される際、繰出部４２は、常に待機位置にあり、収納室２２内の別の記録媒体Ｃに接触することによって当該別の記録媒体Ｃを前後方向Ｙに対して傾斜した状態で待機させている。
【００６５】
処理位置にある記録媒体Ｃの後端部は、前述したように収納室２２内に入り込んでいる。しかし、収納室２２内で前後方向Ｙに対して傾斜した状態で待機する当該別の記録媒体Ｃでは、処理位置まで搬送される記録媒体Ｃに近い前端部が、処理位置の記録媒体Ｃの後端部から隙間６６を隔てて左側Ｘ１に離れて配置されている。そのため、処理位置の記録媒体Ｃの先端（後端）が当該別の記録媒体Ｃに接触することを防止できる。これにより、取込時において記録媒体Ｃに傷が付くことを防止できる。また、隙間６６により、処理位置の記録媒体Ｃおよび収納室２２内の当該別の記録媒体ＣのそれぞれのアンテナＡのパターンが互いに干渉しなくなるので、ＩＣリーダー４８は、収納室２２内の記録媒体Ｃの影響を受けることなく、処理位置の記録媒体Ｃとの間で情報処理を正常に行なうことができる。情報処理の一環としてＩＣリーダー４８が記録媒体ＣのＩＤを認証することによって記録媒体Ｃの識別を完了させると、台間記録媒体処理機３において、この記録媒体Ｃに関連する情報が表示部１２に表示されたり、この記録媒体Ｃに対応するプリペイド価値や持玉データ等の範囲で遊技客へのパチンコ玉の貸出が可能になったりする。
【００６６】
情報処理が完了すると、取込動作が始まって、駆動モータ５１が逆回転し、図９Ａに示すように、駆動ギア５６は、左側Ｘ１から見て、白抜き矢印で示すように、時計回りに回転する。すると、駆動ギア５６の軸部６０が、スライド部材６１の長穴６２内で下側Ｚ２へ移動しながら、長穴６２の周縁部を後側Ｙ２へ押す。これにより、スライド部材６１が後側Ｙ２へ移動する。これに伴い、スライド部材６１に設けられたピニオンギア６４が反時計回りに回転するので、ピニオンギア６４を噛み合うラックギア６５を有する取込部４１が前進位置から後側Ｙ２へ移動する。ただし、取込部４１が動き始めた段階では、繰出部４２の前端部４２Ｂが窪み４３の途中にあって後側当接部４１Ａおよび前側当接部４１Ｂのいずれからも離れているので、繰出部４２は引き続き待機位置にある。
【００６７】
そして、取込部４１の後側Ｙ２への移動によって、前側当接部４１Ｂが繰出部４２の前端部４２Ｂに前側Ｙ１から当接すると、取込部４１と繰出部４２との間の遊びがなくなる。このとき、取込部４１の取込爪４４は、起立位置にあり、情報処理後の記録媒体Ｃに前側Ｙ１から係合する。この状態で、繰出部４２は、図８Ｃに示すように、取込部４１に従動することによって、取込部４１と一体となって、待機位置から後側Ｙ２の繰出位置まで移動する。これにより、取込爪４４と係合した記録媒体Ｃが搬送路２１内を後側Ｙ２へ移動し、連絡口３０を通って前側Ｙ１から収納室２２内に取り込まれる。
【００６８】
また、繰出部４２が繰出位置まで移動するのに伴い、今まで収納室２２内にあった記録媒体Ｃは、取り込まれる記録媒体Ｃによって左側Ｘ１へずらされながら、右側Ｘ２のガイド２３Ｂの平坦面２３Ｃと平行となるように前後方向Ｙに沿った状態になる。収納室２２内に取り込まれた記録媒体Ｃは、右側Ｘ２のガイド２３Ｂの平坦面２３Ｃと、繰出部４２の後端部の載置面４２Ａとに右側Ｘ２から支えられることによって前後方向Ｙに沿った状態で、収納室２２内の記録媒体Ｃに対して右側Ｘ２から積層される。このとき、繰出位置にある繰出部４２の繰出爪４６は、収納室２２内の記録媒体Ｃよりも後側Ｙ２に配置される。また、このときの取込部４１は、後退位置にある。
【００６９】
その後、図９Ｂに示すように、駆動ギア５６が引き続き時計回りに回転すると、今まで下側Ｚ２へ移動していた駆動ギア５６の軸部６０が、今度は、スライド部材６１の長穴６２内で上側Ｚ１へ移動しながら、長穴６２の周縁部を前側Ｙ１へ押す。これに伴い、スライド部材６１に設けられたピニオンギア６４が時計回りに回転するので、ピニオンギア６４を噛み合うラックギア６５を有する取込部４１が、繰出部４２を待機位置へ戻すために後退位置から前側Ｙ１へ移動する。ただし、取込部４１が動き始めた段階では、繰出部４２の前端部４２Ｂが窪み４３の途中にあって後側当接部４１Ａおよび前側当接部４１Ｂのいずれからも離れているので、繰出部４２は引き続き繰出位置にある。
【００７０】
また、取込部４１が前側Ｙ１への移動を開始するのと同時に、時計回りに回転する駆動ギア５６のカム突起５９における湾曲面５９Ｂが、ホームポジションのスライドレバー３５に下側Ｚ２から接触する。前述したようにスライドレバー３５は、ホームポジションから上側Ｚ１へ回動できないので、回動する代わりに湾曲面５９Ｂに沿ってカム突起５９に乗り上げようとし、その際、図９Ｃに示すように、後側Ｙ２に移動する。すると、スライドレバー３５が連結された回動軸３４がリフト３３を伴って回動し、リフト３３は、図８Ｄに示すように、今までの退避位置から進出位置まで左側Ｘ１へ移動する。このとき、スライドレバー３５、駆動ギア５６、スライド部材６１、ピニオンギア６４およびラックギア６５は、リフト３３の移動を取込部４１の移動と連動させる連動機構６８として機能している（図９Ｃ参照）。
【００７１】
リフト３３は、左側Ｘ１の進出位置まで移動することにより、今まで収納室２２内で前後方向Ｙに沿った状態で積層されていた記録媒体Ｃ（図８Ｃ参照）の後端部を押して左側Ｘ１へ移動させる。その結果、収納室２２内の記録媒体Ｃは、後端部が前端部よりも左側Ｘ１にずれるように前後方向Ｙに対して傾斜した状態となる。収納室２２内で最も右側Ｘ２の記録媒体Ｃでは、その前端よりも後側Ｙ２の部分が、右側Ｘ２のガイド２３Ｂの平坦面２３Ｃから左側Ｘ１へ浮いていて、この記録媒体Ｃの後端は、繰出位置の繰出部４２の繰出爪４６よりも左側Ｘ１に位置している。
【００７２】
その後、取込部４１の前側Ｙ１への移動によって、後側当接部４１Ａが繰出部４２の前端部４２Ｂに後側Ｙ２から当接すると、取込部４１と繰出部４２との間の遊びがなくなる。このとき、今まで上側Ｚ１へ移動していた駆動ギア５６の軸部６０が、今度は、図９Ｄに示すように、スライド部材６１の長穴６２内で下側Ｚ２へ移動しながら、長穴６２の周縁部を前側Ｙ１へ押す。これにより、繰出部４２が、図８Ｅに示すように、取込部４１に従動することによって、取込部４１と一体となって、繰出位置から前側Ｙ１の待機位置まで移動する。
【００７３】
このように取込部４１に遅れて繰出部４２が移動するのに先立って、繰出爪４６が収納室２２内の記録媒体Ｃに引っ掛からないように進出位置のリフト３３が当該記録媒体Ｃを左右方向Ｘへ移動させている（図８Ｄ参照）。これにより、リフト３３が記録媒体Ｃを移動させた後に繰出部４２が移動する際に、繰出爪４６が収納室２２内の記録媒体Ｃに引っ掛かることを防止できる。そのため、繰出部４２を円滑に待機位置まで戻せるので、処理時間の一層の短縮化を図ることができる。
【００７４】
また、繰出部４２の移動によって繰出爪４６が収納室２２内の記録媒体Ｃの後端部よりも前側Ｙ１に移動すると、図９Ｄに示すように、スライドレバー３５は、駆動ギア５６の時計回りの回転に伴って駆動ギア５６のカム突起５９を通過することにより、前側Ｙ１の元の位置へ戻る。これにより、スライドレバー３５が連結された回動軸３４がリフト３３を伴って今までとは逆向きに回動し、リフト３３は、図８Ｅに示すように、退避位置まで戻る。
【００７５】
そして、繰出部４２が待機位置に到達すると、駆動モータ５１の駆動が停止される。駆動モータ５１の駆動が停止されると、記録媒体処理装置１は待機状態となり、取込動作が完了する。駆動モータ５１は、駆動停止まで常に逆回転していたので、取込動作のための各部品の全ての動作が駆動モータ５１の逆回転だけで実現されたことが分かる。
待機状態の記録媒体処理装置１において、待機位置の繰出部４２の繰出爪４６が、収納室２２に残った最も右側Ｘ２の記録媒体Ｃにおける前後方向Ｙの略中央部に右側Ｘ２から接触している。これにより、待機位置の繰出部４２は、収納室２２内の全ての記録媒体Ｃを前後方向Ｙに対して傾斜した状態で待機させている。
【００７６】
図１０Ａ〜図１０Ｆは、比較例に係る記録媒体処理装置７０の内部構造の平面図であって、記録媒体の繰出動作を行っている状態を示す。比較例の記録媒体処理装置７０について、前述した左右方向Ｘ、前後方向Ｙおよび上下方向Ｚを用いて簡単に説明する。
図１０Ａに示すように、記録媒体処理装置７０には、その前端に位置する記録媒体Ｃの出入口７１と、出入口７１から後側Ｙ２へ前後方向Ｙに沿って延びる搬送路７２と、搬送路７２に対して後側Ｙ２から接続される収納室７３とが設けられている。
【００７７】
搬送路７２において出入口７１の近傍には、回転駆動される左右一対の搬送ローラ７４が前後に２組設けられている。搬送路７２の左側Ｘ１において、収納室７３の近傍には、ＩＣリーダー４８（図３参照）と同じ機能を持つＩＣリーダー７５が配置されている。
収納室７３は、左側Ｘ１へ広がる空間であって、記録媒体Ｃを常に前後方向Ｙに沿った状態で積層して収納できる。収納室７３内には、記録媒体Ｃと平行な状態で記録媒体Ｃの左側Ｘ１に配置される支持板７６と、支持板７６を記録媒体Ｃに対して左側Ｘ１から押し付ける付勢部材７７とが設けられている。
【００７８】
収納室７３の右側Ｘ２には、前後に長手のブロック状のリフト７８が配置されている。リフト７８の左側面は、前後上下に沿って平坦である。リフト７８は、左右方向Ｘに移動することによって、収納室７３内に右側Ｘ２から進入したり、収納室７３内から右側Ｘ２へ退避したりすることができる。
記録媒体処理装置７０内には、搬送体７９が前後方向Ｙへ移動可能に設けられている。搬送体７９の移動速度は、平均でたとえば７０ｍｍ／秒である。搬送体７９は、前後方向Ｙに長手のアーム状であり、その前端部には取込爪８０が設けられ、その後端部には繰出爪８１が設けられている。そのため、搬送体７９では、取込爪８０と繰出爪８１とが直結されている。取込爪８０は、図１０Ａに示すように左側Ｘ１へ起立して搬送路７２内にはみ出した起立位置と、図１０Ｂに示すように前後方向Ｙに沿うように傾倒して搬送路７２から外れた傾倒位置との間で回動可能であって、起立位置へ向けて常に付勢されている。繰出爪８１は、左側Ｘ１に突出した突起である。
【００７９】
図１０Ａにおける記録媒体処理装置７０は待機状態にある。このとき、搬送体７９は待機位置にあり、収納室７３内の記録媒体Ｃは、起立位置の取込爪８０と繰出爪８１との間に位置している。繰出動作が開始されると、搬送体７９が前側Ｙ１へ移動する。これにより、繰出爪８１が収納室７３内における最も右側Ｘ２の記録媒体Ｃに後側Ｙ２から係合し、搬送体７９は、この記録媒体Ｃを、図１０Ｂに示す処理位置まで繰り出す。
【００８０】
その後、図１０Ｃに示すように、リフト７８が収納室７３内に右側Ｘ２から進入して、収納室７３内の記録媒体Ｃを左側Ｘ１へ移動させる。これにより、処理位置にある記録媒体Ｃにおいて収納室７３内に残った後端部と、収納室７３内の別の記録媒体Ｃとの間には、左右方向Ｘにおける隙間８２が形成される。
隙間８２が形成されると、ＩＣリーダー７５は、処理位置の記録媒体Ｃとの間で情報処理を行なう。この際、隙間８２によって、処理位置にある記録媒体Ｃが収納室７３内の別の記録媒体Ｃから離れているので、ＩＣリーダー７５は、当該別の記録媒体Ｃの影響を受けることなく、処理位置の記録媒体Ｃに対して正常に情報処理を行なえる。
【００８１】
処理位置にある記録媒体Ｃの前端部は、後側Ｙ２における左右の搬送ローラ７４の間に挟まっている。情報処理が完了すると、これらの搬送ローラ７４が回転し、処理位置の記録媒体Ｃは、図１０Ｄに示すように、前側Ｙ１の出入口７１まで搬送される。搬送ローラ７４による記録媒体Ｃの搬送速度は、たとえば、１１３ｍｍ／秒である。搬送ローラ７４の回転中において、リフト７８は引き続き収納室７３内に進入している。
【００８２】
出入口７１の記録媒体Ｃが遊技客によって抜き取られると、搬送体７９は後側Ｙ２へ移動して、図１０Ｅに示すように待機位置まで戻る。その際、収納室７３内の記録媒体Ｃが搬送体７９の繰出爪８１にぶつからないように、リフト７８は引き続き収納室７３内に進入して、収納室７３内の記録媒体Ｃを左側Ｘ１へずらしている。
搬送体７９が待機位置に到達すると、リフト７８は、図１０Ｆに示すように収納室７３内から右側Ｘ２へ退避する。これにより、繰出動作が完了する。
【００８３】
本実施形態に係る記録媒体処理装置１では、繰出部４２が、繰出動作の際に記録媒体Ｃを処理位置まで搬送するついでに、収納室２２内の記録媒体Ｃを前後方向Ｙに対して傾斜した状態で待機させて、情報処理のための隙間６６を予め確保している（図６Ｃ参照）。そのため、比較例に係る記録媒体処理装置７０において繰出動作での情報処理のために必要な隙間８２に関連してリフト７８を移動させるという独立した処理（図１０Ｃおよび図１０Ｆ参照）を省略できるので、処理時間の短縮化を図ることができる。
【００８４】
一方、図１１Ａに示すように、記録媒体処理装置７０が待機状態において、遊技客が記録媒体Ｃを前側Ｙ１から出入口７１に差し込むと、記録媒体Ｃの後端部が、前側Ｙ１における左右の搬送ローラ７４の間に挟まる。すると、図１１Ｂに示すように、搬送ローラ７４が回転することによって記録媒体Ｃが後側Ｙ２の処理位置へ向けて搬送され、同時に、リフト７８が収納室７３内に右側Ｘ２から進入して、収納室７３内の記録媒体Ｃを左側Ｘ１へ移動させるので、前述した隙間８２が形成される。処理位置に到達した記録媒体Ｃの前端部は、後側Ｙ２の左右の搬送ローラ７４の間に挟まっている。
【００８５】
隙間８２が形成されると、ＩＣリーダー７５は、処理位置の記録媒体Ｃとの間で情報処理を行なう。その後、図１１Ｃに示すように、今まで待機位置にあった搬送体７９が前側Ｙ１へ移動する。移動後の搬送体７９では、取込爪８０が、傾倒位置にあり、処理位置の記録媒体Ｃの前端部に対して僅か前側Ｙ１に位置している。
次に、図１１Ｄに示すように、搬送体７９が後側Ｙ２へ数ｍｍ（たとえば１０ｍｍ）程度移動し、傾倒位置の取込爪８０が処理位置の記録媒体Ｃの前端部の後隣に配置される。
【００８６】
その後、処理位置にある記録媒体Ｃの前端部を挟んでいた後側Ｙ２の左右の搬送ローラ７４が回転し、記録媒体Ｃが処理位置から後側Ｙ２へ数ｍｍ程度搬送される。すると、図１１Ｅに示すように、この記録媒体Ｃが搬送ローラ７４から外れるとともに、この記録媒体Ｃの前端部より前側Ｙ１にある取込爪８０が起立位置まで勢いよく回動し、記録媒体Ｃの前端部に前側Ｙ１から係合する。
【００８７】
次に、これまで収納室７３内に進入していたリフト７８が、図１１Ｆに示すように、収納室７３内にから右側Ｘ２へ退避する。その後、図１１Ｇに示すように、搬送体７９が後側Ｙ２の待機位置まで移動し、その際、繰出爪８１に係合している記録媒体Ｃを収納室７３内に取り込む。これにより、取込動作が完了する。取込動作で取り込まれた記録媒体Ｃは、収納室７３内において最も右側Ｘ２で収納される。
【００８８】
本実施形態に係る記録媒体処理装置１では、取込動作の際に記録媒体Ｃが処理位置まで搬送されるのに先立って、繰出部４２が、収納室２２内の別の記録媒体Ｃを前後方向Ｙに対して傾斜した状態で既に待機させて、情報処理のための隙間６６を予め確保している（図８Ａ参照）。そのため、比較例に係る記録媒体処理装置７０において取込動作での情報処理のために必要な隙間８２に関連してリフト７８を移動させるという独立した処理（図１１Ｂおよび図１１Ｆ参照）を新たに行わずに済むので、処理時間の短縮化を図ることができる。
【００８９】
また、本実施形態において、比較例のリフト７８に相当するリフト３３は、取込動作の際に取込部４１の移動に連動して移動するので（図９Ｂ〜図９Ｄ参照）、リフト７８を単独で移動させる比較例（図１１Ｂおよび図１１Ｆ参照）と比べて、処理時間の一層の短縮化を図ることができる。
また、本実施形態に係る記録媒体処理装置１では、比較例に係る記録媒体処理装置７０において情報処理後に搬送体７９を後側Ｙ２へ数ｍｍ移動させる処理（図１１Ｄ参照）や、記録媒体Ｃを処理位置から後側Ｙ２へ数ｍｍ程度搬送させる処理（図１１Ｅ参照）が不要であるので、処理時間の一層の短縮化を図ることができる。
【００９０】
この発明は、以上の実施形態の内容に限定されるものではなく、請求項記載の範囲内において種々の変更が可能である。
たとえば、この記録媒体処理装置１は、台間記録媒体処理機３以外に記録媒体Ｃを取り扱う製品全般にも適用可能である。その場合、記録媒体処理装置１は、出入口１５が横長になるように配置されてもよい。出入口１５が横長になる場合、前述した左右方向Ｘと上下方向Ｚとの関係が逆になる。
【００９１】
また、記録媒体処理装置１において出入口１５の近傍では、搬送ベルト２６および２７の周回移動によって記録媒体Ｃを搬送したが、これらの搬送ベルト２６および２７を省略し、ローラ２４および２５の回転だけで記録媒体Ｃを搬送してもよい（図３参照）。
また、前述した記録媒体処理装置１は、繰出動作および取込動作の両方が可能であったが、繰出動作だけが可能であってもよい。繰出動作だけが可能な記録媒体処理装置１では、リフト３３を省略できるので、記録媒体処理装置１の小型化や、コストダウンを図ることができる。
【００９２】
また、記録媒体Ｃとして、前述したＩＣカードに限らず、積層可能な全ての物を挙げられる。
【符号の説明】
【００９３】
１    記録媒体処理装置
２    遊技機
３    台間記録媒体処理機
１５  出入口
２１  搬送路
２２  収納室
３３  リフト
４１  取込部
４２  繰出部
４４  取込爪
４６  繰出爪
４８  ＩＣリーダー
６８  連動機構
Ｃ    記録媒体
Ｘ    左右方向
Ｙ    前後方向
Ｙ１  前側
Ｙ２  後側
【図１】
0006395312.tif 000002
【図２】
0006395312.tif 000003
【図３】
0006395312.tif 000004
【図４】
0006395312.tif 000005
【図５】
0006395312.tif 000006
【図６Ａ】
0006395312.tif 000007
【図６Ｂ】
0006395312.tif 000008
【図６Ｃ】
0006395312.tif 000009
【図６Ｄ】
0006395312.tif 000010
【図７Ａ】
0006395312.tif 000011
【図７Ｂ】
0006395312.tif 000012
【図７Ｃ】
0006395312.tif 000013
【図７Ｄ】
0006395312.tif 000014
【図８Ａ】
0006395312.tif 000015
【図８Ｂ】
0006395312.tif 000016
【図８Ｃ】
0006395312.tif 000017
【図８Ｄ】
0006395312.tif 000018
【図８Ｅ】
0006395312.tif 000019
【図９Ａ】
0006395312.tif 000020
【図９Ｂ】
0006395312.tif 000021
【図９Ｃ】
0006395312.tif 000022
【図９Ｄ】
0006395312.tif 000023
【図１０Ａ】
0006395312.tif 000024
【図１０Ｂ】
0006395312.tif 000025
【図１０Ｃ】
0006395312.tif 000026
【図１０Ｄ】
0006395312.tif 000027
【図１０Ｅ】
0006395312.tif 000028
【図１０Ｆ】
0006395312.tif 000029
【図１１Ａ】
0006395312.tif 000030
【図１１Ｂ】
0006395312.tif 000031
【図１１Ｃ】
0006395312.tif 000032
【図１１Ｄ】
0006395312.tif 000033
【図１１Ｅ】
0006395312.tif 000034
【図１１Ｆ】
0006395312.tif 000035
【図１１Ｇ】
0006395312.tif 000036